(57)【要約】【課題】製品に対する用役の有効熱及び無効熱を視覚的又は定量的に容易に把握することができ、最適な用役バランスを効率的に設定することのできるプロセス設備の設計支援システム及び設計支援方法を提供することを目的とする。【解決手段】熱収支図作成部４６は、温調装置の接続回路、温調装置の各機器の機器仕様データ及び用役の用役仕様データを用いて、加熱側熱量と冷却側熱量とを分離して用役の熱量の流れを熱量に応じた面積で表した熱収支図を作成し、表示部５４に表示する。オペレータは、表示された熱収支図を用いて、用役の有効熱及び無効熱を把握し、最適な用役バランスの設定を行う。【選択図】図２
2010049470.tif 000002
【特許請求の範囲】
【請求項１】
プロセス設備の接続回路と、前記接続回路を構成する複数の熱交換要素の要素仕様データと、前記熱交換要素に供給される用役の用役仕様データとに基づき、前記各熱交換要素による交換熱量を算出する交換熱量算出部と、
前記交換熱量を、前記熱交換要素による加熱側熱量と冷却側熱量とに分離し、前記熱交換要素による前記用役の熱量の流れを、前記加熱側熱量及び前記冷却側熱量に応じた熱収支図として作成する熱収支図作成部と、
前記熱収支図を表示する表示部と、
を備えることを特徴とするプロセス設備の設計支援システム。
【請求項２】
請求項１記載のシステムにおいて、
前記熱収支図作成部は、前記加熱側熱量及び前記冷却側熱量に応じた面積を有する前記熱収支図を作成することを特徴とするプロセス設備の設計支援システム。
【請求項３】
請求項１記載のシステムにおいて、
前記熱収支図作成部は、前記用役に含まれる溶剤を凝縮する前記冷却側熱量の前記熱収支図を作成することを特徴とするプロセス設備の設計支援システム。
【請求項４】
プロセス設備の接続回路と、前記接続回路を構成する複数の熱交換要素の要素仕様データと、前記熱交換要素に供給される用役の用役仕様データとに基づき、前記各熱交換要素による交換熱量を算出するステップと、
前記交換熱量を、前記熱交換要素による加熱側熱量と冷却側熱量とに分離し、前記熱交換要素による前記用役の熱量の流れを、前記加熱側熱量及び前記冷却側熱量に応じた熱収支図として作成するステップと、
作成された前記熱収支図を表示するステップと、
を有することを特徴とするプロセス設備の設計支援方法。
【請求項５】
請求項４記載の方法において、
前記用役に含まれる溶剤を凝縮する前記冷却側熱量の前記熱収支図を作成することを特徴とするプロセス設備の設計支援方法。
【発明の詳細な説明】
【技術分野】
【０００１】
本発明は、例えば、プロセスシステムや工場設備に組み込まれる温調装置であるプロセス設備の設計を支援する設計支援システム及び設計支援方法に関する。
【背景技術】
【０００２】
例えば、原材料に対し、加熱処理、冷却処理、乾燥処理等を施して所定の製品を生産するプロセスシステムにおいて、生産に利用されるエネルギを有効に活用できるようにシステムを設計することは極めて重要である。このような設計を行うための有効な手段として、ピンチ解析法（ピンチテクノロジー）が注目されている。
【０００３】
ピンチ解析法は、プロセス設備で使用される流体を、熱を放出する与熱流体と加熱される受熱流体とに分類し、与熱流体に対する温度及び熱量の関係を示す与熱複合線を作成するとともに、受熱流体に対する受熱複合線を作成し、これらの熱複合線を熱量軸の方向に相対的に移動させ、与熱流体及び受熱流体間の熱交換量が最大となるときの加熱媒体、冷却媒体等の用役の温度や供給量を算出する手段であり、算出した情報に従い、エネルギ効率や物質の授受を最適化したプロセス設備を設計することが可能となる。
【０００４】
このピンチ解析法を利用し、コストの最小化、ＣＯ2排出量の最小化、エクセルギ損失の最小化を目的として、プロセスのエネルギ系及び物質系のそれぞれについて最適な用役バランスを算出し、その算出結果を初期条件としてピンチ解析により最適なコプロプロセス（同時生成プロセス）の運転条件を算出する方法が提案されている（特許文献１参照）。
【０００５】
【特許文献１】特開２００４−３３４４５１号公報
【発明の開示】
【発明が解決しようとする課題】
【０００６】
しかしながら、上述した従来技術では、熱交換量を調整可能なだけであり、与熱流体の熱量と受熱流体の熱量とが、製品の生産にどの程度有効に寄与しているのかを、視覚的又は定量的に把握することは困難であり、必ずしも最適な用役バランスを効率的に設定できるものではない。
【０００７】
本発明は、前記の課題に鑑みてなされたものであって、製品に対する用役の有効熱及び無効熱を視覚的又は定量的に容易に把握することができ、最適な用役バランスを効率的に設定することのできるプロセス設備の設計支援システム及び設計支援方法を提供することを目的とする。
【課題を解決するための手段】
【０００８】
本発明のプロセス設備の設計支援システムは、プロセス設備の接続回路と、前記接続回路を構成する複数の熱交換要素の要素仕様データと、前記熱交換要素に供給される用役の用役仕様データとに基づき、前記各熱交換要素による交換熱量を算出する交換熱量算出部と、
前記交換熱量を、前記熱交換要素による加熱側熱量と冷却側熱量とに分離し、前記熱交換要素による前記用役の熱量の流れを、前記加熱側熱量及び前記冷却側熱量に応じた熱収支図として作成する熱収支図作成部と、
前記熱収支図を表示する表示部と、
を備えることを特徴とする。
【０００９】
また、本発明のプロセス設備の設計支援方法は、プロセス設備の接続回路と、前記接続回路を構成する複数の熱交換要素の要素仕様データと、前記熱交換要素に供給される用役の用役仕様データとに基づき、前記各熱交換要素による交換熱量を算出するステップと、
前記交換熱量を、前記熱交換要素による加熱側熱量と冷却側熱量とに分離し、前記熱交換要素による前記用役の熱量の流れを、前記加熱側熱量及び前記冷却側熱量に応じた熱収支図として作成するステップと、
作成された前記熱収支図を表示するステップと、
を有することを特徴とする。
【発明の効果】
【００１０】
本発明のプロセス設備の設計支援システム及び設計支援方法では、熱交換要素による用役の熱量の流れを、加熱側熱量と冷却側熱量とに分離した熱収支図として表示することにより、製品に対する用役の有効熱及び無効熱を視覚的又は定量的に容易に把握することができる。この熱収支図を用いることにより、最適な用役バランスを効率的に設定することができる。
【発明を実施するための最良の形態】
【００１１】
図１は、本発明のプロセス設備の設計支援システム及び設計支援方法が適用されるフイルムベース生産ラインの主要部の概略構成図である。
【００１２】
このフイルムベース生産ラインでは、例えば、トリアセチルセルロース（ＴＡＣ）をメチクロ等の溶剤に溶かしたフイルムベースの原料が、原料供給部１０からホッパ１２を介してドラム１４上に供給される。ドラム１４上でシート状に流延された原料は、ローラ１６を介して乾燥部１８に供給され、加熱乾燥されることで、フイルムベースが生産される。乾燥部１８には、本実施形態のプロセス設備である温調装置２０が接続され、温調装置２０には、溶剤回収部２２が接続される。溶剤回収部２２は、温調装置２０から回収した溶剤を再利用すべく原料供給部１０に供給する。
【００１３】
図２は、図１に示すフイルムベース生産ラインを構成する温調装置２０を最適化するための本実施形態の設計支援システム３０の構成ブロック図である。
【００１４】
設計支援システム３０は、プロセス設備である温調装置２０を設計するための仕様データを入力するデータ入力部３２と、温調装置２０を構成する機器（熱交換要素）による入出力の仕様データ（要素仕様データ）を記憶する機器仕様データ記憶部３４と、温調装置２０を構成する各機器に供給される用役の温度、流量等の仕様データ（用役仕様データ）を記憶する用役仕様データ記憶部３６と、温調装置２０を構成する機器の接続回路を作成するシステム検討フロー作成部４０と、作成された温調装置２０の接続回路におけるエネルギフローを作成するエネルギフロー作成部４２（交換熱量算出部）と、温調装置２０を構成する機器による流体の温度遷移を示す温度線図を作成する温度線図作成部４４と、温調装置２０を構成する複数の機器による熱量の熱収支図を作成する熱収支図作成部４６と、温調装置２０における与熱流体の与熱複合線図及び受熱流体の受熱複合線図を作成する熱複合線図作成部４８と、与熱複合線図及び受熱複合線図を用いてピンチ解析を行うピンチ解析部５０と、ピンチ解析結果に基づき、温調装置２０に要するコストを算出するとともにＣＯ2排出量を算出し、ＣＯ2排出量を考慮した温調装置２０のコストを評価するためのコスト評価図を作成するコスト評価図作成部５２と、温調装置２０の接続回路、温度線図、熱収支図、熱複合線図、コスト評価図等を表示するための表示部５４とを備える。
【００１５】
本実施形態のフイルムベース生産ライン、及び、この生産ラインに接続される温調装置２０を最適化するための設計支援システム３０は、基本的には以上のように構成されるものであり、次に、設計支援システム３０を用いて温調装置２０を最適化して設計するための支援方法につき、図３に示すフローチャートに従って説明する。
【００１６】
先ず、オペレータは、温調装置２０を構成する複数の熱交換要素を選択し、それらを接続してシステム検討フローを作成する（ステップＳ１）。システム検討フロー作成部４０は、予め登録されている複数の熱交換要素を表示部５４に表示させ、オペレータによって選択された熱交換要素をオペレータの指示に従って接続することにより、例えば、図４に示すシステム検討フローを作成して表示部５４に表示する。
【００１７】
図４に示すシステム検討フローでは、図１に示す乾燥部１８から排出された溶剤を含むプロセスガスをヒートパイプ（ＨＰ−００１）の冷却部で冷却した後、冷水が供給されるクーラ（Ｃ−００１）及びブラインが供給されるクーラ（Ｃ−００２）でさらに冷却することで、プロセスガス中の溶剤を凝縮させて抽出する。抽出された溶剤は、溶剤回収部２２によって回収され、原料供給部１０に戻される。一方、溶剤が除去されたプロセスガスは、ヒートパイプ（ＨＰ−００１）の加熱部で加熱された後、蒸気が供給されるヒータ（Ｈ−００１）によりフイルムベースの乾燥に必要な所望の温度まで加熱され、ファン（Ｆ−００１）を介して乾燥部１８に供給される。
【００１８】
システム検討フローを作成した後、データ入力部３２を用いて、熱交換要素の機器仕様データを入力するとともに（ステップＳ２）、熱交換要素に必要な用役仕様データを入力する（ステップＳ３）。
【００１９】
例えば、ヒートパイプ（ＨＰ−００１）に対しては、冷却部及び加熱部に入力されるプロセスガスの流量、温度、冷却部及び加熱部から出力されるプロセスガスの温度等の機器仕様データが設定される。クーラ（Ｃ−００１、Ｃ−００２）に対しては、入口及び出口におけるプロセスガスの温度である機器仕様データ、クーラ（Ｃ−００１、Ｃ−００２）の入口及び出口における冷却用の水（用役）及びブライン（用役）の温度、供給量である用役仕様データが設定される。ヒータ（Ｈ−００１）に対しては、入口及び出口におけるプロセスガスの温度である機器仕様データ、ヒータ（Ｈ−００１）の入口及び出口における加熱用の蒸気（用役）の温度、供給量である用役仕様データが設定される。ファン（Ｆ−００１）に対しては、入口及び出口におけるプロセスガスの温度である機器仕様データが設定される。
【００２０】
図５は、以上のようにして入力された機器仕様データ及び用役仕様データの総括表である。この総括表のデータは、後述するようにして編集変更することができる。入力された機器仕様データは、機器仕様データ記憶部３４に記憶され、用役仕様データは、用役仕様データ記憶部３６に記憶される。
【００２１】
なお、用役仕様データ記憶部３６には、図６に示す各用役のコストを算出するための用役仕様データがデータ入力部３２を用いて予め記憶されている。例えば、用役（ＵＴＴ）である流体の名称、用役の熱交換効率を表す成績係数（ＣＯＰ）、電力単価、熱源単価、原油換算値、ＣＯ2換算排出量が用役仕様データとして記憶されている（「ナイブライン」、「コールドブライン」は、登録商標）。
【００２２】
次に、図４に示すシステム検討フローと、入力された機器仕様データ及び用役仕様データとを用いて、エネルギフローを作成する（ステップＳ４）。エネルギフロー作成部４２は、機器仕様データ及び用役仕様データに基づいて各機器による交換熱量を算出し、システム検討フロー上に機器仕様データ及び用役仕様データとともに表示したエネルギフローを作成する（図７）。算出された交換熱量は、図５に示す総括表に一括表示される。
【００２３】
なお、以下の説明並びに図面において、英文字Ｔ＋数字（例えば、Ｔ１）は温度、英文字Ｆ＋数字（例えば、Ｆ１）は流量、英文字Ｑ＋数字（例えば、Ｑ１）は熱量、英文字ＣＯＰ＋数字（例えば、ＣＯＰ１）は用役の成績係数（ＣＯＰ）、英文字Ｅ＋数字（例えば、Ｅ１）は電力単価、英文字Ｎ＋数字（例えば、Ｎ１）は熱源単価、英文字Ｇ＋数字（例えば、Ｇ１）は原油換算値、英文字Ｃ＋数字（例えば、Ｃ１）はＣＯ2換算排出量、英文字Ｍ＋数字（例えば、Ｍ１）はコストを表すものとする。
【００２４】
交換熱量Ｑは、例えば、
Ｑ＝風量（ｍ3／ｈ）×空気比熱（ｋｃａｌ／ｋｇ℃）×空気比重（ｋｇ／ｍ3）×（温調装置出口温度（℃）−温調装置入口温度（℃））
として算出することができる。
【００２５】
ここで、図７に示すエネルギフローでは、乾燥部１８から温度Ｔ１、流量Ｆ１の溶媒を含むプロセスガスが供給される（１）。このプロセスガスは、ヒートパイプ（ＨＰ−００１）の冷却部によって熱量Ｑ８が奪われて温度Ｔ２に冷却され（２）、次いで、クーラ（Ｃ−００１）に供給される流量Ｆ３の冷水により温度Ｔ５に冷却されることで熱量Ｑ３が奪われた後（３）、クーラ（Ｃ−００２）に供給される流量Ｆ４のブラインにより温度Ｔ３まで冷却されることでさらに熱量Ｑ４が奪われる（４）。このとき、クーラ（Ｃ−００２）によってプロセスガスが冷却されることで、溶媒が凝縮して分離される。なお、クーラ（Ｃ−００１）に供給される冷水は、温度Ｔ８から温度Ｔ９に加熱され、クーラ（Ｃ−００２）に供給されるブラインは、温度Ｔ１０から温度Ｔ１１に加熱されて外部に排出される。
【００２６】
クーラ（Ｃ−００２）を通過したプロセスガスは、ヒートパイプ（ＨＰ−００１）の加熱部によって、冷却部から供給される熱量Ｑ８により温度Ｔ４まで加熱され（５）、次いで、ヒータ（Ｈ−００１）に供給される流量Ｆ５、温度Ｔ１２の蒸気により温度Ｔ６まで加熱されることで熱量Ｑ６が付加された後（６）、ファン（Ｆ−００１）を介して温度Ｔ７のプロセスガスとして乾燥部１８に供給される（７）。なお、ヒータ（Ｈ−００１）に供給される蒸気は、外部に排出される。
【００２７】
次に、温度線図作成部４４は、図７に示すエネルギフローから、各機器によるプロセスガスの温度データを抽出し、図８に示す温度線図を作成して表示部５４に表示する（ステップＳ５）。この場合、温度線図は、横軸を各機器の配列とし、縦軸を温度として表したものである。なお、温度線図には、クーラ（Ｃ−００１）に供給される冷水、クーラ（Ｃ−００２）に供給されるブライン、ヒータ（Ｈ−００１）に供給される蒸気の各温度が併せて表示される。
【００２８】
そこで、オペレータは、図８に示す温度線図に基づき、システム検討フローによる温調装置２０におけるプロセスガスの温度変化の状況から機器仕様データ及び用役仕様データを検討し、温調装置２０のシステムを再検討するか否かを判断する（ステップＳ６）。例えば、温調装置２０の設置スペースを縮小する必要がある場合、ヒートパイプ（ＨＰ−００１）の交換熱量を増大させることで、ヒートパイプ（ＨＰ−００１）に要するコストの増加を容認する一方、クーラ（Ｃ−００１、Ｃ−００２）やヒータ（Ｈ−００１）の一部の削減を検討することができる。また、用役の設定温度を調整することで、クーラ（Ｃ−００１、Ｃ−００２）やヒータ（Ｈ−００１）の容量を選択可能なものに適宜設定することもできる。
【００２９】
システムの再検討を行う場合、図４に示すシステム検討フローを必要に応じて再作成するとともに、機器仕様データ及び用役仕様データを再設定し（ステップＳ１〜Ｓ３）、同様にしてエネルギフロー及び温度線図を作成する処理を繰り返す。
【００３０】
一方、熱収支図を作成してシステムの再検討を行う場合、熱収支図作成部４６は、設定された機器仕様データ及び用役仕様データ（図５参照）を用いて、図９に示す熱収支図を作成して表示部５４に表示させる（ステップＳ７）。
【００３１】
熱収支図は、ヒートパイプ（ＨＰ−００１）、ヒータ（Ｈ−００１）、ファン（Ｆ−００１）による加熱側の熱量と、ヒートパイプ（ＨＰ−００１）、クーラ（Ｃ−００１、Ｃ−００２）による冷却側の熱量とを分離し、各用役の熱量の流れを熱量に応じた面積で表したものである。
【００３２】
具体的には、加熱側では、ヒートパイプ（ＨＰ−００１）から熱量Ｑ８、ヒータ（Ｈ−００１）に供給される蒸気から換算された熱量Ｑ６、及び、ヒータ（Ｈ−００１）及びファン（Ｆ−００１）に供給される電力から換算された熱量Ｑ９が温熱として供給される。また、乾燥部１８から温度Ｔ１のプロセスガスが排出され、温度Ｔ７のプロセスガスを乾燥部１８に供給するため、換算した熱量Ｑ１３のプロセスガスが乾燥部１８に供給される。これら以外の熱量は、温調装置２０内の加熱負荷（Ｑ８＋Ｑ９＋Ｑ１１）及び蒸気の廃熱（熱量Ｑ１０）として消費される。
【００３３】
一方、冷却側では、ヒートパイプ（ＨＰ−００１）による熱量Ｑ８、クーラ（Ｃ−００１、Ｃ−００２）による熱量Ｑ３、Ｑ４が冷熱として供給される。また、クーラ（Ｃ−００２）では、溶剤を凝縮するのに熱量Ｑ１２が冷熱として消費される。これら以外の熱量は、温調装置２０内の冷却負荷（Ｑ３＋Ｑ４＋Ｑ８）として消費される。
【００３４】
そこで、オペレータは、熱収支図に基づき、プロセスガスの加熱に要する熱量と、溶剤の凝縮に要する熱量とを除く熱量を減少させるべく、機器仕様データ及び用役仕様データを検討し、温調装置２０のシステムを再検討するか否かを判断し（ステップＳ８）、必要に応じてステップＳ１からの処理を繰り返すことにより、省エネに鑑みた有効なシステムの構築を検討することが可能となる。
【００３５】
さらに、温調装置２０全体に要するコストを考慮したシステムの再検討を行う場合、熱複合線図作成部４８は、図５に示す機器仕様データ及び用役仕様データに基づいて図１０に示す機器毎の交換熱量と対数平均温度との関係を含む表を作成し、この表に基づき、図１１に示すように、プロセスガスが熱を放出する与熱複合線Ｈと、プロセスガスが熱を吸収する受熱複合線Ｃとを作成し、これらを熱複合線図として表示部５４に表示させる（ステップＳ９）。なお、熱複合線図は、熱量軸方向に与熱複合線Ｈ及び受熱複合線Ｃが重畳している範囲がヒートパイプ（ＨＰ−００１）によって熱交換される範囲を示し、重畳していない範囲がクーラ（Ｃ−００１、Ｃ−００２）によって外部から冷却され、あるいは、ヒータ（Ｈ−００１）、ファン（Ｆ−００１）によって外部から加熱される範囲を示す。
【００３６】
図１１は、現在設定されている機器仕様データ及び用役仕様データに基づく熱複合線図であり、ヒートパイプ（ＨＰ−００１）の加熱部及び冷却部間の温度差は、ΔＴ１（ピンチポイント）となっている。そこで、ピンチ解析部５０は、受熱複合線Ｃを熱量軸方向に移動させることで温度差ΔＴ１を変化させてピンチ解析を行う（ステップＳ１０）。
【００３７】
図１２〜図１６は、温度差をΔＴ２〜ΔＴ６に設定した場合における機器毎の交換熱量と対数平均温度との関係を含む表であり、図１７〜図２１は、各温度差ΔＴ２〜ΔＴ６に設定したときの熱複合線図を示す。この場合、温度差をΔＴ２としたとき、ヒートパイプ（ＨＰ−００１）による交換熱量Ｑ１４が最も大きくなる。また、クーラ（Ｃ−００１）を不要とすることができるとともに、クーラ（Ｃ−００２）及びヒータ（Ｈ−００１）による必要な交換熱量も最小とすることができる。しかしながら、ヒートパイプ（ＨＰ−００１）の伝熱面積を大きく設定しなければならないため、その分の設備コストが増大することになる。
【００３８】
そこで、次に、コスト評価図作成部５２は、図１２〜図１６の表に示されるクーラ（Ｃ−００１、Ｃ−００２）、ヒータ（Ｈ−００１）に供給される冷水、ブライン、蒸気の各用役のコスト、及び、ヒートパイプ（ＨＰ−００１）の交換熱量に応じた設備コストを用いて、コスト評価図を作成し、表示部５４に表示させる（ステップＳ１１）。
【００３９】
図２２は、表示部５４に表示されたコスト評価図を示す。○は、ヒートパイプ（ＨＰ−００１）の交換熱量を横軸とし、各温度差ΔＴ２〜ΔＴ６を設定したときの用役のコスト（ＵＴＴコスト）をプロットしたものである。また、×は、各温度差ΔＴでのヒートパイプ（ＨＰ−００１）の設備コストをプロットしたものである。この場合、用役に要するコストと、ヒートパイプ（ＨＰ−００１）の設備に要するコストとのバランスがとれた温度差ΔＴ３のときの機器仕様データ及び用役仕様データに従い、温調装置２０のシステムを設計することができる。
【００４０】
また、コスト評価図作成部５２は、図１２〜図１６の表に示される各機器のＣＯ2排出量をコスト評価図に合わせて表示（△で示す）することにより、用役のコスト、設備コスト、ＣＯ2の排出量のバランスを考慮して、温調装置２０のシステムを設計することができる。
【００４１】
なお、本発明は、上述した実施形態に限定されるものではなく、本発明の主旨を逸脱しない範囲で自由に変更できることは勿論である。
【図面の簡単な説明】
【００４２】
【図１】フイルムベース生産ラインの主要部の概略構成図である。
【図２】本実施形態の設計支援システムの構成ブロック図である。
【図３】温調装置を設計するためのフローチャートである。
【図４】温調装置のシステム検討フローの説明図である。
【図５】温調装置の機器仕様データ及び用役仕様データの説明図である。
【図６】用役のコストを算出するための用役仕様データの説明図である。
【図７】システム検討フローに交換熱量、機器仕様データ及び用役仕様データを付記したエネルギフローの説明図である。
【図８】各機器による与熱流体及び受熱流体の温度線図の説明図である。
【図９】設定された機器仕様データ及び用役仕様データに基づいて作成された熱収支図の説明図である。
【図１０】機器毎の交換熱量、対数平均温度、コストの関係を含む図表である。
【図１１】図１０に示す図表に基づいて作成される熱複合線図である。
【図１２】機器毎の交換熱量、対数平均温度、コストの関係を含む図表である。
【図１３】機器毎の交換熱量、対数平均温度、コストの関係を含む図表である。
【図１４】機器毎の交換熱量、対数平均温度、コストの関係を含む図表である。
【図１５】機器毎の交換熱量、対数平均温度、コストの関係を含む図表である。
【図１６】機器毎の交換熱量、対数平均温度、コストの関係を含む図表である。
【図１７】図１２に示す図表に基づいて作成される熱複合線図である。
【図１８】図１３に示す図表に基づいて作成される熱複合線図である。
【図１９】図１４に示す図表に基づいて作成される熱複合線図である。
【図２０】図１５に示す図表に基づいて作成される熱複合線図である。
【図２１】図１６に示す図表に基づいて作成される熱複合線図である。
【図２２】ヒートパイプの交換熱量に対するコスト評価図である。
【符号の説明】
【００４３】
１０…原料供給部
１８…乾燥部
２０…温調装置
２２…溶剤回収部
３０…設計支援システム
３２…データ入力部
３４…機器仕様データ記憶部
３６…用役仕様データ記憶部
４０…システム検討フロー作成部
４２…エネルギフロー作成部
４４…温度線図作成部
４６…熱収支図作成部
４８…熱複合線図作成部
５０…ピンチ解析部
５２…コスト評価図作成部
【図１】
2010049470.tif 000003
【図２】
2010049470.tif 000004
【図３】
2010049470.tif 000005
【図４】
2010049470.tif 000006
【図５】
2010049470.tif 000007
【図６】
2010049470.tif 000008
【図７】
2010049470.tif 000009
【図８】
2010049470.tif 000010
【図９】
2010049470.tif 000011
【図１０】
2010049470.tif 000012
【図１１】
2010049470.tif 000013
【図１２】
2010049470.tif 000014
【図１３】
2010049470.tif 000015
【図１４】
2010049470.tif 000016
【図１５】
2010049470.tif 000017
【図１６】
2010049470.tif 000018
【図１７】
2010049470.tif 000019
【図１８】
2010049470.tif 000020
【図１９】
2010049470.tif 000021
【図２０】
2010049470.tif 000022
【図２１】
2010049470.tif 000023
【図２２】
2010049470.tif 000024